(57)【要約】【課題】      底の閉鎖作業が不要な展示ケースを提供する。【解決手段】  所定の形状に裁断した透明な合成樹脂板材を折り曲げて上下面が開放するように形成した筒体４と、この筒体の長辺両下縁の所要範囲から連なって互いに内方に屈曲すると共に、突出方向縁を噛み合い状に係合した閉鎖保形底壁５と、上記筒体の前記閉鎖保形底壁の存在しない下縁から連なって互いに前記筒体内に折り返した係止片７とで形成した胴体部Ａと、この胴体部内に落し込むと共に、両側の内側に上記係止片が嵌入して受架する下面開放の上げ底用支持部材Ｂとからなり、上記係止片の折り返し屈曲縁９が上記閉鎖保形底壁の屈曲縁１０よりも下方に突出している展示ケース。【選択図】図１
2009050662.tif 000002
【特許請求の範囲】
【請求項１】
所定の形状に裁断した透明な合成樹脂板材を折り曲げて上下面が開放するように形成した筒体と、この筒体の長辺両下縁の所要範囲から連なって互いに内方に屈曲すると共に、突出方向縁を噛み合い状に係合した閉鎖保形底壁と、上記筒体の前記閉鎖保形底壁の存在しない下縁から連なって互いに前記筒体内に折り返した係止片とで形成した胴体部と、この胴体部内に落し込むと共に、両側の内側に上記係止片が嵌入して受架する下面開放の上げ底用支持部材とからなり、上記係止片の折り返し屈曲縁が上記閉鎖保形底壁の屈曲縁よりも下方に突出していることを特徴とする展示ケース。
【請求項２】
所定の形状に裁断した透明な合成樹脂板材を折り曲げて形成した筒体と、この筒体の下縁から連なって設けた閉鎖底壁とで形成した胴体部と、この胴体部内の底に落し込む上げ底用の支持部材とからなる展示ケースにおいて、上記胴体部の底面長辺縁の所定位置に貫通部を設けて、この貫通部に上記支持部材の底面から下向きに突出する接地突部を貫通したことを特徴とする展示ケース。
【請求項３】
所定の形状に裁断した透明な合成樹脂板材を折り曲げて上下面が開放するように設けた筒体と、この筒体の長辺両下縁から連なってそれぞれ内方に屈曲する挟持底壁とで形成した胴体部と、この胴体部の下縁から内側に嵌入する成形製品の上げ底用支持部材と、この上げ底用支持部材の下面両端にヒンジを介し起伏自在に設けた上記挟持底壁の挟み込み挟持底板と、この水平に倒した挟持底板を上記上げ底用支持部材に係止する係合部とで構成した展示ケースにおいて、上記上げ底用支持部材の下面に上記胴体部を起立させる接地脚突部を設けたことを特徴とする展示ケース。
【請求項４】
所定の形状に裁断した透明な合成樹脂板材を折り曲げて上下面が開放するように形成した筒体と、この筒体の長辺両下縁から連なって上記筒体内に折り返した係止片とで形成した胴体部と、この胴体部内に落し込むと共に、両側の内側に上記係止片が嵌入して受架する下面開放の上げ底用支持部材とからなる展示ケース。
【請求項５】
所定の形状に裁断した透明な合成樹脂板材を折り曲げて上下面が開放するように形成した筒体と、この筒体の長辺両下縁から連なって互いに内方に屈曲すると共に、突出方向縁を噛み合い状に係合した閉鎖保形底壁とで形成した胴体部と、この胴体部内に落ち込むと共に、上記閉鎖保形底壁により受架した上げ底用支持部材とからなる展示ケース。
【請求項６】
連結板と、この連結板の両側縁から起立する対の案内板とで丈が展示ケースの丈よりも大きい補助具を形成して、展示ケースの底内の上げ底用支持部材上に補助具を挿入し、次いで展示ケースの上面開口から上記治具の外側にジャケットシートを落し込んだのち、各耳部を展示ケース内に折り込んでジャケットシートの縁を抱き込み、然るのち補助具を抜き取ることを特徴とするジャケットシートの挿入方法。
【請求項７】
座板と、この座板上に起立して外側に胴体部が被さると共に、丈が胴体部の開口の縁から開口の反対側に嵌入する上げ底用支持部材が納まる範囲のガイド板と、このガイド板の下縁周面に胴体部内に折り込んである耳部を胴体部の内面に対し遊離の状態にすると共に、胴体部の引き抜きにともない引っかかりのない盗み部を設けて治具を形成し、まず治具のガイド板に内方に折り込んである耳部側を先行させて胴体部を嵌装したのち、ガイド板と胴体部との間隙にジャケットシートを挿入し、次いで胴体部に上げ底用支持部材を嵌入したのち、胴体部の底側上記嵌入してある上げ底用支持部材の受架底を折り込み、然るのち胴体部を引き抜くことを特徴とする展示ケースの組立方法。
【請求項８】
所定の形状に裁断した透明な合成樹脂板材を曲げて上下面が開放するように形成した筒体と、この筒体の上縁所要位置に設けたジャケットシートの上縁抱き込み耳部と、この筒体の下縁両長辺縁から連なると共に、内方に屈曲する上げ底用支持部材の受架壁とで胴体部を形成し、上記の各耳部を上記筒体内に折り返した状態で上記の胴体部を扁平に折り畳んだことを特徴とする展示ケース用胴体部。
【発明の詳細な説明】
【技術分野】
【０００１】  この発明は、レンタルショップの棚に並べて使用するマンガなどのブックの展示ケースに関する。
【背景技術】
【０００２】  マンガなどのブックをレンタルショップの棚に陳列する場合、ショップ側の展示ケースに収納して並べている。【０００３】  上記の展示ケースは、胴体部と、この胴体部の下端（下縁）に取着した台座とからなり、上記の胴体部は、所定形状裁断した合成樹脂製の板材を筒状に折り曲げて形成している。【０００４】  そして、胴体部の表面部と背面部（幅広な両側壁）の上縁及び片方の側面部の上縁には、胴体部内に折り返して前記胴体部内に挿入してあるブックのジャケットシートの表裏表紙の上縁を抱き込む耳部が設けてある（特許文献１）。【０００５】  又他の展示ケースとしては、ブックから取り外したジャケットシートを上面開口から挿入する透明な筒状の展示ケース（筒状の背壁、表壁、裏壁及び背壁で構成された）と、この展示ケースの底部に収納室を底上げした状態で商品を支持するように取着した支持部材とからなる（特許文献２）。【０００６】
【特許文献１】  特開２００４−２７６９４７号公報
【０００７】
【特許文献２】  特開２００６−２０６８７号公報
【発明の開示】
【発明が解決しようとする課題】
【０００８】  ところで、特許文献１及び特許文献２の展示ケースにあっては、胴体部や展示ケースの下縁に合成樹脂の成形製品である台座や支持部材を係止穴にツメを嵌入する方式や、内方に屈曲した底壁を支持部材の底蓋部と筒状部とで挾持する方式や、図１７に示すように成形製品の支持部材の両端の抱き込み板を倒して、支持部材と抱き込み板とで展示ケースの両底壁を挾持して取付けるので、取付けに著しく手間がかかる問題があった。【０００９】  また、展示ケースにジャケットシートを挿入する際、机などの平板上に展示ケースを立てて、ジャケットシートを挿入する。【００１０】  その際、平板上に立てた展示ケースの安定した起立が保障できず、上記平板にわずかな起状（凹凸による）や傾斜があると、展示ケースが倒れないように片方の手でケースを把持し、残る片方の手でジャケットシートを挿入しなければならないので、スムーズな挿入の妨げになる問題があった。【００１１】  そして、台座や支持部材が合成樹脂の成形製品であっても地接底面の全部が均一に接地しないため、展示ケースの自立した起立ができず、倒れることがある。【００１２】  さらに、展示ケースに対するジャケットシートの挿入がスムーズにできないため、挿入に著しく手数がかかると共に、ジャケットシートの上縁抱き込み耳部の折り込みがスムーズにできない問題もあった。【００１３】  そこで、この発明は、上述の各種問題を解決することにある。
【課題を解決するための手段】
【００１４】  上記の課題を解決するために、この発明は、所定の形状に裁断した透明な合成樹脂板材を折り曲げて上下面が開放するように形成した筒体と、この筒体の長辺両下縁の所要範囲から連なって互いに内方に屈曲すると共に、突出方向縁を噛み合い状に係合した閉鎖保形底壁と、上記筒体の前記閉鎖保形底壁の存在しない下縁から連なって互いに前記筒体内に折り返した係止片とで形成した胴体部と、この胴体部内に落し込むと共に、両側の内側に上記係止片が嵌入して受架する下面開放の上げ底用支持部材とからなり、上記係止片の折り返し屈曲縁が上記閉鎖保形底壁の屈曲縁よりも下方に突出している構成を採用する。【００１５】  また、所定の形状に裁断した透明な合成樹脂板材を折り曲げて形成した筒体と、この筒体の下縁から連なって設けた閉鎖底壁とで形成した胴体部と、この胴体部内の底に落し込む上げ底用の支持部材とからなる展示ケースにおいて、上記胴体部の底面長辺縁の所定位置に貫通部を設けて、この貫通部に上記支持部材の底面から下向きに突出する接地突部を貫通した構成を採用する。【００１６】  さらに、所定の形状に裁断した透明な合成樹脂板材を折り曲げて上下面が開放するように設けた筒体と、この筒体の長辺両下縁から連なってそれぞれ内方に屈曲する挟持底壁とで形成した胴体部と、この胴体部の下縁から内側に嵌入する成形製品の上げ底用支持部材と、この上げ底用支持部材の下面両端にヒンジを介し起伏自在に設けた上記挟持底壁の挟み込み挟持底板と、この水平に倒した挟持底板を上記上げ底用支持部材に係止する係合部とで構成した展示ケースにおいて、上記上げ底用支持部材の下面に上記胴体部を起立させる接地脚突部を設けた構成を採用する。【００１７】  また、所定の形状に裁断した透明な合成樹脂板材を折り曲げて上下面が開放するように形成した筒体と、この筒体の長辺両下縁から連なって上記筒体内に折り返した係止片とで形成した胴体部と、この胴体部内に落し込むと共に、両側の内側に上記係止片が嵌入して受架する下面開放の上げ底用支持部材とからなる構成を採用する。【００１８】  さらに、所定の形状に裁断した透明な合成樹脂板材を折り曲げて上下面が開放するように形成した筒体と、この筒体の長辺両下縁から連なって互いに内方に屈曲すると共に、突出方向縁を噛み合い状に係合した閉鎖保形底壁とで形成した胴体部と、この胴体部内に落ち込むと共に、上記閉鎖保形底壁により受架した上げ底用支持部材とからなる構成を採用する。【００１９】  また、連結板と、この連結板の両側縁から起立する対の案内板とで丈が展示ケースの丈よりも大きい補助具を形成して、展示ケースの底内の上げ底用支持部材上に補助具を挿入し、次いで展示ケースの上面開口から上記治具の外側にジャケットシートを落し込んだのち、各耳部を展示ケース内に折り込んでジャケットシートの縁を抱き込み、然るのち補助具を抜き取る方法を採用する。【００２０】  さらに、座板と、この座板上に起立して外側に胴体部が被さると共に、丈が胴体部の開口の縁から開口の反対側に嵌入する上げ底用支持部材が納まる範囲のガイド板と、このガイド板の下縁周面に胴体部内に折り込んである耳部を胴体部の内面に対し遊離の状態にすると共に、胴体部の���き抜きにともない引っかかりのない盗み部を設けて治具を形成し、まず治具のガイド板に内方に折り込んである耳部側を先行させて胴体部を嵌装したのち、ガイド板と胴体部との間隙にジャケットシートを挿入し、次いで胴体部に上げ底用支持部材を嵌入したのち、胴体部の底側上記嵌入してある上げ底用支持部材の受架底を折り込み、然るのち胴体部を引き抜くことを特徴とする展示ケースの組立方法を採用する。【００２１】  そして、所定の形状に裁断した透明な合成樹脂板材を曲げて上下面が開放するように形成した筒体と、この筒体の上縁所要位置に設けたジャケットシートの上縁抱き込み耳部と、この筒体の下縁両長辺縁から連なると共に、内方に屈曲する上げ底用支持部材の受架壁とで胴体部を形成し、上記の各耳部を上記筒体内に折り返した状態で上記の胴体部を扁平に折り畳んだことを特徴とする展示ケース用胴体部を採用する。
【発明の効果】
【００２２】  以上のように、この発明の展示ケースによれば、胴体部内に落し込んだ上げ底用支持部材部材を、胴体部内に折り返してある係止片を上げ底用支持部材の両側の内側に存在させて受架して上げ底用支持部材の脱落を阻止するので、手間のかかる胴体部の底の熱溶着や接着剤を用いた手間のかかる閉鎖作業が不要になり、また突出方向縁を噛み合い状に係合させた閉鎖保形底壁により組み立てた胴体部の両側下部をつかんでも変形することなく保形するので、ジャケットシートの挿入やブックなどの商品の挿入の妨げにならない。【００２３】  特に、組み立て以前の胴体部を扁平に折り畳むことができるので、扁平に折り畳んで箱詰めすることができて、箱詰め数量の大幅に増加して輸送コストの著しい低減をはかることができると共に、広い格納面積を必要としない。【００２４】  そして、係止片の折り返し屈曲縁が閉鎖保形底壁の折り返し縁に対し下方に位置するので、展示ケースが起立し、この起立によって従来のように一方の手で展示ケースを把持し、もう一方の手でジャケットシートやブックなどの商品を挿入するわずらわしい操作が不要になる。【００２５】  また、胴体部の底面長辺縁の所定位置に設けてある貫通部に落し込んである上げ底用支持部材の接地突部を貫通させてあるので、接地突部により展示ケースが起立し、この起立によって片方の手で展示ケースを把持しながら残るもう片方の手でジャケットシートの挿入やブックなどの商品の挿入を行なうわずらわしい操作が不要になる。【００２６】  そして、成形製品の上げ底用支持部材の挟持底壁を挟み込む挟持底板の下面にも接地脚突部を設けてあるので、展示ケースの安定した起立ができて、上述と同様の効果がある。【００２７】  さらに、展示ケースを構成する筒体の両長辺下縁に係止片や閉鎖保形底壁を設けてあるので、組み立て以前の胴体部を扁平に折り畳むことができるので、扁平に折り畳んで箱詰めすることができて、箱詰め数量の大幅に増加して輸送コストの著しい低減をはかることができると共に、広い格納面積を必要としない効果を発揮する。【００２８】  さらに、治具を利用してジャケットシートを挿入すると共に、挿入後に治具を残した状態でジャケットシートの上縁抱き込み用耳部を折り込むので、折り込む耳部がジャケットシートに当接することなく案内板の板面をすべりながら極めてスムーズに、すなわち抵抗なく折り込むことができる。【００２９】  また、治具のガイド板に内側に折り込んである耳部を先行させて筒状の胴体部を嵌装して、ガイド板と胴体部との間隙にジャケットシートを挿入すると、盗み部により押圧（胴体部の内面に）されていない耳部の内側にジャケットシートの上縁部が邪魔されることなくスムーズに挿入でき、その後に胴体部に上げ底用支持部材を嵌入したのち受架底を折り込むことで両手をつかって極めて容易に、かつ迅速に展示ケースを組み立てることができ、ガイド板に対する組み立てた展示ケースを抜き取る際、盗み部で耳部が引っかかることなく極めてスムーズに抜き取ることができる。【００３０】さらに、上述の治具を用いて組み立てる胴体部は、筒体内に前もって耳部を折り込んであるので、組み立てにともなう耳部の折り込む作業が不要になると共に、��平に折り畳んであるので、１ケースに対する箱詰め枚数が極めて多くなって、従来のように組み立ててある展示ケースを箱詰めするために発生した嵩張り、かつ輸送コストが大幅にアップする以外に、格納に広い場所を必要とし、又ジャケットシートの挿入作業場所での嵩が大きくなって広い作業場を必要とする以外に煩雑になり、更に組み立ててある展示ケースの取り出し後の大型な空のケースの取り扱いが困難になるなどの不都合を解消する。
【発明を実施するための最良の形態】
【００３１】  以下、この発明の実施形態を添付図面に基づいて説明する。【００３２】  この発明の第１の実施形態では、図１から図６に示すように、Ａは所定の形状に裁断した透明な合成樹脂板材を折り曲げて上面に商品ａの挿入用開口１を有するように形成した胴体部である。【００３３】  上記の胴体部Ａは、一枚の板材により対向する広幅な両側壁２、２及び細幅な両端壁３、３とで上面に開口１を有する周囲四面の筒体４を形成し、片方の端壁３が内と外とで重なり合って、この重なり合った端壁３を熱溶着や接着剤などで固着して構成する。【００３４】  また、筒体４の両側壁２、２の下縁（長辺縁）の所要範囲には、互いに内方に屈曲すると共に、突出方向縁が噛み合い状に係合した閉鎖保形底壁５、５が設けてある。【００３５】  上記突出方向縁の噛み合い状の係合は、図示の場合、一方の閉鎖保形底壁５の突出方向縁の中央部分に突片６をもう片方の閉鎖保形底壁５の突出方向縁の両端部に並列する突片６、６を突出させて、一方の突片６が他方の閉鎖保形底壁５の上面に、他方の両突片６、６が一方の閉鎖保形底壁５の上面に重なるように噛み合い状に係合させて両閉鎖保形底壁５、５による組み立てにともない閉鎖維持をはかるもので、突片６の形状に図示に限定されず、例えば波状の凹凸などであってもよい。【００３６】  そして、両閉鎖保形底壁５、５の突出方向縁の噛み合い状の係合にする要因は、ショップでの使用にともないショップ側で閉鎖することにより、メーカーからの出荷などの際、胴体部Ａを扁平に折り畳んで嵩低くすることで、その結果出荷の際の箱詰め数量の大幅な増加をはかって輸送コストの低減及び格納に広い場所を必要としない。【００３７】  また、筒体４の閉鎖保形底壁５の存在しない下縁には、筒体４内に折り返すＶ字状の係止片７が設けてある。【００３８】  上記閉鎖保形底壁５、５は、図１に示すように、下縁の一端側にのみ設けたが、限定されず、図７、８に示すように下縁の両端側や下縁の中間部分（図示省略）などに設けてもよい。【００３９】  そして、係止片７の折り返し屈曲縁９が、閉鎖保形底壁５の屈曲縁１０に対し下方に若干突出させて段差が発生するようにしてある。【００４０】  この段差を設ける要因は、各突片６の重なり（突片６と閉鎖保形底壁５とによる）部分の肉厚が厚くなった部分の接地（接触）にともない屈曲縁９の部分が浮き上がって接触しない不都合を解消し、屈曲縁９の接地（接触）にともない筒体４の安定した起立を保つようにしたことにある。【００４１】  さらに、筒体４内には、上げ底用支持部材Ｂを落し込む。【００４２】  この上げ底用支持部材Ｂは、両側間の幅が対向する両側壁２、２の間隔よりも小さい頂壁１１と、この頂１１の周縁から連なって下広がりに突出する周壁１２とからなり、落とし込んだ上げ底用支持部材Ｂの周壁１２の両側内側に係止片７が嵌入して係止片７により上げ底用支持部材Ｂを定位置に受架するようにしてある。【００４３】  なお、上げ底用支持部材Ｂは、合成樹脂の成形品や、合成樹脂板材の折り曲げなどで形成し、頂壁１１の各部が同幅になる以外にジャケットシート１７の背表紙側端を先細りにしたものもある。【００４４】  また、図４、６に示すように、周壁１２��ら突出する膨出部１３付の突軸１４を係止片７のスリット付透孔１５に無理矢理押し込んで貫通させておくと、上げ底用支持部材Ｂの脱落がなく安定した取付けができる。【００４５】  図中１６は筒体４の上縁に連なる耳部で、この各耳部１６は、筒体４内に折り返して、筒体４内に落し込んであるジャケットシート１７の背表紙及び表裏表紙の上縁を抱き込む。【００４６】  なお、係合関係になる突片６、６を有する閉鎖保形底壁５、５の組み立て終了状況下にあっては、図３、４、５、７、８に示すように、両閉鎖保形底壁５、５を結ぶ線が略水平になっているが、限定されず、重なる突片６、６の部分が上方（水平線に対し）上方に位置するへ字状であってもよい。そして、閉鎖保形底壁５に対する突片６の突出長さが、又閉鎖保形底壁５の突出長さが長い場合、図９に示すように途中に折れ線１９を設けておくと、図１０に示すように突片６が折れ線１９により屈曲して（閉鎖保形底壁５折れ線を設けておくと、同様になる）組み立てが容易になる。【００４７】  要するに、閉鎖保形底壁５、５の組み立てにともない係合関係になる突片６、６によって閉鎖保形底壁５、５の組み立て維持ができて、空の胴体部Ａの下縁側の両側を把持した際の押圧力による形くずれを防止する。【００４８】  上記のように構成すると、ショップの机やカウンタなどに胴体部Ａを立てかけて例えばジャケットシート１７を挿入する場合、閉鎖保形底壁５、５の部分が接地あ（接触）することなく係止片７、７の折り返し屈曲縁９が接地するので立てかけた同体部Ａから手を離しても倒れることなく安定した起立を維持し、ジャケットシート１７の挿入作業が容易になる。【００４９】  勿論、ジャケットシート１７の挿入後の商品ａの挿入前の立てかけた胴体部Ａの起立維持ができるため、立かけができず倒れている胴体部Ａを一々起こす手間のかかる作業が不要になる。【００５０】  なお、図９に示すように閉鎖保形底壁５の一部や全部を筒体４内に折り込んで、支持部材Ｂの両側内側に存在する閉鎖保形底壁５、５により支持部材Ｂの両側下縁を受架することもできる。【００５１】  その際、閉鎖保形底壁５、５の中途に折れ線１９を設けておくと、閉鎖保形底壁５が中折れして、頂壁１１に対する突片６の突っ張りをなくすることができて、閉鎖保形底壁５、５の折り込みが容易になる。【００５２】  この発明の第２の実施形態では、図１１、１２に示すように、第１の実施形態と同様の上げ底用支持部材Ｂを落し込んである胴体部Ａの底面長辺縁（側壁２、２の下縁）の所要位置には、貫通部２１が設けてあり、この各貫通部２１に上げ底用支持部材Ｂの下面から下向きに突出する胴体部Ａの起立安定用の接地突部２２を貫通させてある。【００５３】  上記胴体部Ａの底面閉鎖は、第１の実施形態と同様の噛み合い状に係合する突片６を有する閉鎖保形底壁５、５と両側壁２の下縁から連なって筒体４内に折り返す上げ底用支持部材Ｂの受架係止片７との組み合わせを示したが、係止片７のみや、閉鎖保形底壁５のみや或いはその他の構成の底、例えば両側壁２、２の下縁に連なる底壁を内方に重なるように屈曲し、重なる底壁を熱溶着や接着剤を介し固定してもよい。【００５４】  そして、貫通部２１は、図示の場合端壁３の内面と係止片７の端縁とに間隙を設けて形成し、係止片７と閉鎖保形底壁５との対向縁に間隙を設けて形成し端壁３の内面と閉鎖保形底壁５の側縁との間に間隙を設けて形成したが、限定されず、底の壁に打ち抜きなどで設けてもよい。【００５５】  また、接地突部２２は、成形製品の上げ底用支持部材Ｂの成形の際一体に成形して設けたが、限定されない。【００５６】  なお、接地突部２２は、図示の場合上げ底用支持部材Ｂの両側の両端と中間との計六ヶ所設けたが、限定されず、適宜決定すればよい。【００５７】  上記の筒体４により形成した胴体部Ａ及び上げ底用支持部材Ｂは、第１の実施形態と同様につき構成の説明を省略する。【００５８】  上記のように構成すると、ショップの机やカウンタなどに胴体部Ａを立てかけた際、各接地突部２２が接地して安定よく立てかけた状態を維持する。【００５９】  このため、従来のように安定よく立てかけることができないために、倒れた胴体部を起立させ、起立した胴体部を片方の手で保持しながらもう片方の手でジャケットシート１７を挿入し、また耳部１６を折り込む手数が、胴体部Ａの安定した起立により解消することができると共に、倒れた胴体部Ａを起こす作業も不要になる。【００６０】  この発明の第３の実施形態では、図１３から図１７に示すように、Ａ’は所定の形状に裁断した透明な合成樹脂板材を折り曲げて上面に商品ａの挿入用開口１を有するように形成した胴体部である。【００６１】  上記の胴体部Ａは、１枚の板材により対向する広幅な両側壁２、２及び細幅な端壁３、３とで上面に開口１を有する周囲四面の筒体４を形成し、片方の端壁３が内と外とで重なって、この重なり合った端壁３を熱溶着や接着剤などで固着して構成する。【００６２】  また、筒体４の両側壁２、２の下縁には、内方に折り曲げる挟持底壁３１、３１が設けてある。【００６３】  上記の挟持底壁３１は、図示の場合折れ線３２を介し屈曲片３３が連成してあり、この屈曲片３３を挟持底壁３１に対し上方に屈曲して、挟持底壁３１の外方の広がりを止める引っかかりになるようになる。【００６４】  さらに、胴体部Ａ’の下面から内方に合成樹脂成形品の上げ底用支持部材Ｂ’を嵌入すると共に、上げ底用支持部材Ｂ’の下面両端にハーフカットなどのヒンジ３４を介し起伏自在に設けてある挟持底板３５を上げ底用支持部材Ｂ’の底面に重なるように倒れて、上げ底用支持部材Ｂ’と挟持底板３５とで各挟持底壁３１を挟持することで、胴体部Ａの底側に上げ底用支持部材Ｂ’を取付ける。【００６５】  その際、挟持底板３５の自由端（ヒンジ３４の反対側）の突部３６が上げ底用支持部材Ｂの係止孔３７に嵌り込んで、嵌り込みにともなう係合関係により挟持底壁３１の挟持状態を保つようにしてある。【００６６】  また、上げ底用支持部材Ｂ’の下面には、胴体部Ａ’を起立させる接地脚突部３８が設けてある。【００６７】  上記の接地脚突部３８は、図示の場合、上げ底用支持部材Ｂ’の下面ヒンジ３４側の両側と、挟持底板３５の下面自由端側の両側にそれぞれ設けたが、限定されず例えば、図１７に示すように挟持底板３５の下面両側縁に沿う突条の形式であってもよい。【００６８】  要するに、胴体部Ａ’を安定よく起立させる��とを目的とする。【００６９】  上記のように構成すると、胴体部Ａ’を起立させたとき、接地脚突部３８の接地のよって安定よく胴体部Ａ’が起立する。【００７０】  このため、第１及び第２の実施形態と同様の効果を発揮する。【００７１】  この発明の第４の実施形態では、図１８、１９に示すように、第１の実施形態の閉鎖保形底壁５のない、すなわち、両側壁２、２の下縁に筒体４内に折り込む係止片７を設けた胴体部Ａを使用することにある。【００７２】  上記の係止片７は、図示の場合側壁２、２の下縁全長から連なる一枚のものを示したが、隣接縁を切り離してある複数枚の並列する係止片７を設けてもよい。【００７３】  上記係止片７のみを設けた胴体部Ａの構成は、第１の実施形態と同様につき説明を省略する。【００７４】  そして、胴体部Ａ内に下面開放の上げ底用支持部材Ｂを落し込む。【００７５】  落し込みは、開口１から、或いは筒体４の下面から押し込んで両係止片７、７を押し逃がしながら行なうこともできる。【００７６】  そして、落し込んだ上げ底用支持部材Ｂの両側壁１２の下縁を係止片７の屈曲縁（部分）で受架する。【００７７】  上記上げ底用支持部材Ｂ（第１の実施形態も同様）は、頂壁１１と両側壁１２とからなり、側壁１２を周囲四面の周壁とすることも（図１８に示すように）でき、頂壁１１の全長は対向する端壁３、３の対向間隔よりも短くしてあって、頂壁１１の片端の外側縁と端壁３との間にジャケットシート１７の背表紙の下縁部が落ち込むように、端面を下り勾配に傾斜させてある。【００７８】  なお、上記の下面開放の上げ底用支持部材Ｂは、合成樹脂製の成形品以外に合成樹脂などの板材で形成したものであってもよい。【００７９】  上記のように構成すると、胴体部Ａの底を閉鎖することなく落し込んだ上げ底用支持部材Ｂを係止片７により受架して脱落を防止し、また使用前は扁平に折り畳むことができるので、出荷にともなう箱詰め数量が多くなって輸送コストの大幅な低減をはかると共に、ショップでの格納に際しても広い場所を必要としないなどの効果がある。【００８０】  なお、係止片７、７を側壁２の内側に第１の実施形態と同様に透孔１５に膨出部１３付の突軸１４で止めても（図示省略）よい。【００８１】  この発明の第５の実施形態では、第１の実施形態の係止片７のない、すなわち両側壁２、２の下縁に筒体４内に折り込む閉鎖保形底壁５、５が設けてあり、この閉鎖保形底壁５、５の突出方向縁の突片６を噛み合い状に係合させて、閉鎖保形底壁５、５の閉鎖状態を維持するようにする胴体部Ａを使用することにある。【００８２】  上記の閉鎖保形底壁５、５は、図示の場合側壁２の下縁から連なる一枚のものを示したが、隣接縁を切り離してある複数枚の並列する閉鎖保形底壁５であってもよい。【００８３】  上記閉鎖保形底壁５のみを設けた胴体部Ａの構成は、第１の実施形態と同様につき説明を省略する。【００８４】  そして、胴体部Ａ内に（開口１から）下面開放の上げ底用支持部材Ｂを落し込む。【００８５】  落し込んだ上げ底用支持部材Ｂは、図２２に示すように閉鎖保形底壁５、５により受架される。【００８６】  上記上げ底用支持部材Ｂは、第４の実施形態と同様につき説明を省略する。【００��７】  上記のように構成すると、第４の実施形態と同様の効果がある。【００８８】  なお、突片６、６の噛み合いにより係合させた両底壁５、５は、図２２に示す略水平な姿勢や、互いに内方に向き、かつ登り傾斜する角度を適宜決定すればよい。【００８９】  この発明の第６の実施形態では、図２３から図２５に示すように、第１の実施形態から第５の実施形態の展示ケースの胴体部Ａ、Ａに対するジャケットシート１７の挿入方法に関する。【００９０】  挿入方法に使用する補助具Ｃは、図２３に示すように、幅が側壁２、２の対向間隔よりも若干小さな幅の連結板４１と、この連結板４１の両側縁から連なって上方に起立する対の案内板４２、４２とからなり、案内板４２の丈は、側壁２の丈よりも大きくて、案内板４２の上部が胴体部Ａの開口１からなり大きく突出するようにしてある。【００９１】そして、案内板４２の幅は、側壁２の幅よりも小さい。【００９２】  なお、図示のように両案内板４２の上部を重ね合わせて固着（接着剤や熱溶着などで）しておくと、取り扱い（抜き差しの）が容易になる。【００９３】  まず、開口１から胴体部Ａ、Ａ’内に補助具Ｃを挿入して、上げ底用支持部材Ｂの頂壁１１に連結板４１を当接する。【００９４】  次にジャケットシート１７の表裏表紙４５が案内板４２の表面側に、背表紙４６が片方の端壁３の内側になるように開口１からジャケットシート１７をすべらせながら落し込む。【００９５】  すると、ジャケットシート１７の表裏表紙４５の下部が側壁２と上げ底用支持部材Ｂ、Ｂ’の側壁１２との間に、背表紙４６の下部が端壁３と上げ底用支持部材Ｂ、Ｂ’の端との間にスムーズに落ち込んで、ジャケットシート１７の挿入が完了する。【００９６】  その後に、各耳部１６を胴体部Ａ、Ａ’の内側に折り込んでジャケットシート１７の上縁を抱き込む。【００９７】  その際、両案内板４２の上部が開口１から上方に突出しているので、折り込む耳部１６がジャケットシート１７の（表裏表紙４５の）上縁に引っかかることなく、案内板４２によって反転折り込みをガイドして、スムーズな耳部１６の折り込みができる。【００９８】  その後に、補助具Ｃを抜き取る。【００９９】  なお、前述の実施形態の胴体部Ａ、Ａ’に開口１から挿入する商品ａとしては、例えばマンガなどのブックやその他の品物がある。【０１００】  この発明の第７の実施形態では、図２６から図３０に示すように、所定形状に裁断した透明な合成樹脂板材を折り曲げて上下面が開放する筒体４を形成する。【０１０１】  そして、筒体４の両側壁２、２及び片方の端壁３の上縁には、挿入ジャケットシート１７の上縁を抱き込むように筒体４内に折り込む耳部１６が設けてあり、筒体４の両側壁２、２の下縁には、筒体４内に嵌入した上げ底用支持部材Ｂを受架する受架壁６１が設けられて胴体部Ａを形成する。【０１０２】  上記胴体部Ａを構成する筒体４は、第１の実施形態と同様につき詳細な説明を省略する。【０１０３】  そして、受架壁６１は、第１の実施形態と同様に係止片７と突片６を有する閉鎖保形底壁５とが設けられたもの、第４の実施形態と同様に係止片７のみの場合と、第５の実施形態と同様に突片６を有する閉鎖保形底壁５のみの場合とがあり、いずれを選択してもよい。【０１０４】  上記係止片７、閉鎖保形底壁５の構成は、第１、第４及び５の実施形態と同様につき説明を省略する。【０１０５】  使用する上げ底支持部材Ｂも第１の実施形態と同様につき説明を省略する。【０１０６】  次に上記胴体部Ａの組み立て治具Ｓを説明する。【０１０７】  座板６２上には、胴体部Ａが上方から嵌装して被さるガイド板６３が起立している。【０１０８】  上記ガイド板６３の丈は、筒体４の丈より短かくて、筒体４内に嵌入した上げ底用支持部材Ｂの頂壁１１がガイド板６３の上面に当接したとき、上げ底用支持部材Ｂの周囲下縁が筒体４の上向きの下縁から突出しないように考慮しておく。【０１０９】  そして、ガイド板６３の下縁周面には、耳部１６が納まって、各耳部１６が筒体４の内面に対し遊離（この遊離は、挿入したジャケットシート１７の下向きの上縁が耳部１６の内側に落ち込みやすくする）する、すなわち強く押圧しない盗み部６４が設けてある。【０１１０】  なお、ガイド板６３の各面の上縁に面取り６５加工して、筒体４の嵌装をスムーズに行なう。【０１１１】  次に組み立て方法を説明する。【０１１２】  まず、図２７に示すようにガイド板６３に胴体部Ａを嵌装する。【０１１３】  このとき、筒体４内に折り込んである耳部１６を先行させる。【０１１４】  その後に、まずガイド板６３と筒体４との間隙にジャケットシート１７を挿入して、各耳部１６の内側にジャケットシート１７の上縁部を落し込む。【０１１５】  次いで図２８に示すように筒体４内に上方から頂壁１１を下側にして上げ底用支持部材Ｂを嵌め込んだのち、図３０に示すように受架壁６１を折り込んで組み立てを終了する。【０１１６】  終了後の展示ケースは、上方に抜き取る。なお、盗み部６４は、図示の場合ガイド板６３の下縁部から下縁に直線に傾斜させて欠落させてあるが、弧状に欠落させてもよい。要するに組み立て後の展示ケースの上方へ引き抜きの際、耳部１６がすべりながら引っかからないように考慮する。【０１１７】  なお、係止片７の透孔１５に膨出部１３付の突軸１４を貫通させるには、図３１に示す押し込み治具Ｐ（例えば樹脂などの）を係止片７、７間に上方から図３２に示すように押し込む。【０１１８】  このとき、押し込み治具Ｐの両側面下縁から上方に向く溝７１に膨出部１３を合致させておくことで、突軸１４の方向に押し込み治具Ｐの側面で係止片７を押し逃がしながら、透孔１５に膨出部１３を図３３に示すように無理矢理貫通させることができる。【０１１９】  この発明の第８の実施形態では、図３４に示すように、第７の実施形態の組み立て前の胴体部Ａを、前もって各耳部１６を筒体４内に折り込んで扁平に折り畳んでおく。【０１２０】  すると、胴体部Ａの扁平な折り畳みにより扁平に折り畳んだ胴体部Ａを重ね合わせて箱詰めすることができるので、従来品のように組み立てた展示ケースを箱詰めして出荷するための大きな出荷ケースを必要とし、かつ大量の個数を箱詰めすることができない問題や、輸送コストが大幅にアップすると共に、ショップでの広い格納面積を必要とする以外に、大型な空のケースの取り抜いに困難が発生する問題などが解消できる。【０１２１】  そして、前述の治具Ｓを用いた組み立てに際しても、前もって耳部１６を折り込んであるので、組み立ての前の耳部１６の折り込みが不要になり、またジャケットシートの挿入も治具Ｓのガイド板６３に筒体４を嵌装した状況下で行なうことができるため、両手を使用してスムーズに、かつ迅速に挿入することができて、従来のように組み立ててある展示ケースを片方の手で把持し、もう片方の手でジャケットシートを挿入する作業のため、ジャケットシートの挿入をスムーズに、かつ迅速に行うことができない問題をなくすることができると共に、盗み部６４により耳部１６が遊離しているため、耳部１６の内側へのジャケットシート１７の落ち込みがスムーズになる。【０１２２】  また、組み立て作業場での筒体４も扁平に折り畳んだ状態で搬入するので、ストック場所に広い面積を必要とせず、従来のように組み立ててある展示ケースにジャケットシートを挿入するために発生した広い場所を必要とし、かつ煩雑になる不都合もない。
【図面の簡単な説明】
【０１２３】
【図１】  この発明の第１の実施形態を示す分解斜視図
【図２】  同下面を閉じた分解斜視図
【図３】  同上の下部の斜視図
【図４】  同縦断側面図
【図５】  同縦断正面図
【図６】  同底側の腰部を示す縦断正面図
【図７】  底側の他の例を示す斜視図
【図８】  同縦断側面図
【図９】  底側の他の例を示す斜視図
【図１０】  同縦断正面図
【図１１】  第２の実施形態を示す分解斜視図
【図１２】  同上の縦断側面図
【図１３】  第３の実施形態を示す分解斜視図
【図１４】  同上の腰部を示す斜視図
【図１５】  同縦断正面図
【図１６】  同縦断側面図
【図１７】  他の例を示す斜視図
【図１８】  第４の実施形態を示す斜視図
【図１９】  同上の縦断正面図
【図２０】  第５の実施形態を示す斜視図
【図２１】  同上の腰部を示す斜視図
【図２２】  同上の縦断正面図
【図２３】  第６の実施形態を示す斜視図
【図２４】  使用状態を示す斜視図
【図２５】  同上の縦断正面図
【図２６】  第７の実施形態を示す斜視図
【図２７】  同組み立てを示す斜視図
【図２８】  同縦断正面図
【図２９】  同縦断側面図
【図３０】  同縦断正面図
【図３１】  押し込み治具の斜視図
【図３２】  治具の使用を示す縦断正面図
【図３３】  押し込み終了の縦断正面図
【図３４】  第８の実施形態を示す斜視図
【符号の説明】
【０１２４】１              開口
２              側壁
３              端壁
４              筒体
５              閉鎖保形底壁
６              突片
７              係止片
９、１０        屈曲線
１１            頂壁
１２            周壁
Ａ、Ａ’        胴体部
ａ              商品
Ｂ、Ｂ’        上げ底用支持部材
１３            膨出部
１４            突軸
１５            透孔
１６            耳部
１７            ジャケットシート
２１            貫通部
２２            接地突部
３１            挟持底壁
３２            折れ線
３３            屈曲線
３４            ヒンジ
３５            挟持底壁
３６            突部
３７            係止孔
３８            接地脚突部
４１            連結板
４２            案内板
Ｃ              補助具
６１            受架壁
Ｓ              治具
６２            座板
６３            ガイド板
６４            盗み部
６５            面取り
【図１】
2009050662.tif 000003
【図２】
2009050662.tif 000004
【図３】
2009050662.tif 000005
【図４】
2009050662.tif 000006
【図５】
2009050662.tif 000007
【図６】
2009050662.tif 000008
【図７】
2009050662.tif 000009
【図８】
2009050662.tif 000010
【図９】
2009050662.tif 000011
【図１０】
2009050662.tif 000012
【図１１】
2009050662.tif 000013
【図１２】
2009050662.tif 000014
【図１３】
2009050662.tif 000015
【図１４】
2009050662.tif 000016
【図１５】
2009050662.tif 000017
【図１６】
2009050662.tif 000018
【図１７】
2009050662.tif 000019
【図１８】
2009050662.tif 000020
【図１９】
2009050662.tif 000021
【図２０】
2009050662.tif 000022
【図２１】
2009050662.tif 000023
【図２２】
2009050662.tif 000024
【図２３】
2009050662.tif 000025
【図２４】
2009050662.tif 000026
【図２５】
2009050662.tif 000027
【図２６】
2009050662.tif 000028
【図２７】
2009050662.tif 000029
【図２８】
2009050662.tif 000030
【図２９】
2009050662.tif 000031
【図３０】
2009050662.tif 000032
【図３１】
2009050662.tif 000033
【図３２】
2009050662.tif 000034
【図３３】
2009050662.tif 000035
【図３４】
2009050662.tif 000036